(57)【要約】【課題】モジュラプラグ本体のケーブル挿入口の奥側に設けられた各導線コンタクトに対応する導線を接続する成端作業を容易化する。【解決手段】モジュラプラグ本体（１２）に形成されたケーブル挿入口（１４）の奥側に設けられた各導線コンタクト（１６）に、ケーブル（１８）を構成する複数の導線（２２）を対応させて接続して成端する際に使用するためのコネクタ接続補助具（１０）であって、指で摘んで操作するための摘み部（２４）と、前記ケーブル挿入口に挿入可能な大きさで該摘み部の先端に形成された導線サポート部（２６）からなり、前記導線サポート部には、皮剥きして取り出した各導線を載せ置いて対応する導線コンタクトまで導くための小溝（２８）が横方向に並んで形成されており、該小溝は載せ置いた各導線を軽く挟んで支えるために略逆三角形状に形成されている。【選択図】図６
2008277053.tif 000002
【特許請求の範囲】
【請求項１】
モジュラプラグ本体（１２）に形成されたケーブル挿入口（１４）の奥側に設けられた各導線コンタクト（１６）に、ケーブル（１８）を構成する複数の導線（２２）を対応させて接続して成端する際に使用するためのコネクタ接続補助具（１０）であって、
指で摘んで操作するための摘み部（２４）と、前記ケーブル挿入口に挿入可能な大きさで該摘み部の先端に形成された導線サポート部（２６）からなり、
該導線サポート部には、皮剥きして取り出した各導線を載せ置いて対応する導線コンタクトまで導くための小溝（２８）が横方向に並んで形成されており、該小溝は載せ置いた各導線を軽く挟んで支えるために略逆三角形状に形成されている、ことを特徴とするコネクタ接続補助具。
【請求項２】
前記導線サポート部（２６）は、板棒状の前記摘み部（２４）先端を上方に向けて湾曲させることで形成されている、ことを特徴とする請求項１に記載のコネクタ接続補助具。
【請求項３】
前記小溝（２８）には、載せ置いた各導線（２２）を横方向から押えるための柔軟なラバー（３２）が設けられている、ことを特徴とする請求項１又は２に記載のコネクタ接続補助具。
【請求項４】
前記導線サポート部（２６）は、前記モジュラプラグ本体（１２）のケーブル挿入口（１４）に挿入した際に位置決めされるよう、その横幅がケーブル挿入口の横幅とほぼ同じに形成されている、ことを特徴とする請求項１乃至３のいずれか一項に記載のコネクタ接続補助具。
【請求項５】
前記摘み部（２４）には、前記ケーブル（１８）を載せ置いてガイドするためのガイド溝（３４）が軸方向に形成されている、ことを特徴とする請求項１乃至４のいずれか一項に記載のコネクタ接続補助具。
【発明の詳細な説明】
【技術分野】
【０００１】
本発明は、ＬＡＮ接続などにおいて一般的に使用されるモジュラプラグ（ＲＪ４５コネクタ等）本体にケーブルを接続して成端する際に用いられるコネクタ接続補助具に関し、より詳細には、モジュラプラグ本体のケーブル挿入口にケーブルを入線し、ケーブル挿入口の奥側に設けられた各導線コンタクトに対応する導線を接続する成端作業を容易化するために用いられるコネクタ接続補助具に関する。
【背景技術】
【０００２】
近年、オフィスや家庭などにおいてＬＡＮ（Ｌｏｃａｌ Ａｒｅａ Ｎｅｔｗｏｒｋ）が導入されることが多くなってきている。一般的なＬＡＮ接続に用いられるＬＡＮケーブルは、ケーブルとその両端にかしめて接続されたモジュラプラグとから構成されている。
【０００３】
このケーブルは８本の導線（銅線）を束ねたものであり、モジュラプラグは壁面等に設置されたコンセントボックスに設けられたモジュラジャックに嵌合することで着脱自在な構造となっている。
ケーブルとモジュラプラグとの接続は、ケーブルを皮剥きして取り出した各導線をモジュラプラグに形成された入線用のケーブルガイドに沿って所定位置に配置した後に、ケーブル挿入口に押し込むことによって、その奥側に設けられた導線挿入口の中の導線コンタクトに各導線が接続されて固定されるようになっている。
【０００４】
ＬＡＮ接続に使用されるモジュラプラグへのケーブルの接続（成端）を容易化するための発明としては、例えば特許文献１の「モジュラプラグ」などが発案されている。この発明は導線およびモジュラプラグの結線明示部を色分けすることで、誰でも間違いなく結線することが可能なモジュラプラグを提供するものである。
【特許文献１】特開２００６−３１０１６０号公報
【発明の開示】
【発明が解決しようとする課題】
【０００５】
ここで上述した特許文献１のモジュラプラグによれば、導線の色およびモジュラプラグの結線明示部の色を一致させることで結線間違いを有効に防ぐことができるものの、ケーブル挿入口の奥側の対応する導線挿入口まで各導線を導くことが困難であった。
これは、各導線に撚りがあり導線を順番通りに並べにくいこと、ケーブルをモジュラプラグ本体に押さえて固定しなければならないためケーブルを皮剥きして露出できる導線は１．５ｃｍ程度しかなく導線を順番通りに並べにくいこと、入線用のケーブルガイドはモジュラプラグの奥側にあるためガイドに導線が到達するまでに導線の順番がばらばらになりやすいこと、などのためである。
【０００６】
本発明は上記問題を解決するために創案されたものであり、モジュラプラグ本体のケーブル挿入口の奥側の導線挿入口まで各導線を導きケーブルの成端を容易に行うことができるようにしたコネクタ接続補助具を提供することを目的とする。
【課題を解決するための手段】
【０００７】
上記問題を解決するために本発明は、モジュラプラグ本体（１２）に形成されたケーブル挿入口（１４）の奥側に設けられた各導線コンタクト（１６）に、ケーブル（１８）を構成する複数の導線（２２）を対応させて接続して成端する際に使用するためのコネクタ接続補助具（１０）であって、指で摘んで操作するための摘み部（２４）と、前記ケーブル挿入口に挿入可能な大きさで該摘み部の先端に形成された導線サポート部（２６）からなり、該導線サポート部には、皮剥きして取り出した各導線を載せ置いて対応する導線コンタクトまで導くための小溝（２８）が横方向に並んで形成されており、該小溝は載せ置いた各導線を軽く挟んで支えるために略逆三角形状に形成されている、ことを特徴とするコネクタ接続補助具を提供する。
【０００８】
ここで、前記導線サポート部（２６）は、板棒状の前記摘み部（２４）先端を上方に向けて湾曲させることで形成されている。
【０００９】
また、前記小溝（２８）には、載せ置いた各導線（２２）を横方向から押えるための柔軟なラバー（３２）が設けられている、ことも好ましい。
【００１０】
さらに、前記導線サポート部（２６）は、前記モジュラプラグ本体（１２）のケーブル挿入口（１４）に挿入した際に位置決めされるよう、その横幅がケーブル挿入口の横幅とほぼ同じに形成されている、ことが好ましい。
【００１１】
また、前記摘み部（２４）には、前記ケーブル（１８）を載せ置いてガイドするためのガイド溝（３４）が軸方向に形成されている、ことも好ましい。
【発明の効果】
【００１２】
本発明のコネクタ接続補助具によれば、モジュラプラグ本体のケーブル挿入口の奥側に設けられた導線挿入口（導線コンタクト）の手前まで導線を導くことができるため、導線を対応する導線コンタクトに容易に接続することが可能となり、ケーブルの成端が容易化される。
【００１３】
ここで、板棒状の摘み部の先端を上方に向けて湾曲させて導線サポート部を形成することで、簡易な構造の接続補助具に形成した小溝に容易に導線を載せ置いてこれを支えてやることができる。
【００１４】
また、前記小溝に載せ置いた各導線を横方向から押えるための柔軟なラバーを設けることで、より効果的に各導線を支えてやることができる。
【００１５】
さらに、前記導線サポート部の横幅をケーブル挿入口の横幅とほぼ同じに形成することで、導線サポート部をケーブル挿入口に差し込んだ際に、ケーブル挿入口内に横ずれすることなく導線サポート部を挿入することができるため、各導線の位置決めが容易となる。
【００１６】
また、前記摘み部にケーブルを載せ置いてガイドするためのガイド溝を軸方向に形成することで、導線サポート部に取り付けた導線を束ねたケーブルを摘み部とともに掴むことでケーブルが本接続補助具からずれることを防止することができる。
【発明を実施するための最良の形態】
【００１７】
以下、まずモジュラプラグ本体の構造について簡単に説明し、その後、本発明のコネクタ接続補助具の好適な実施例について詳細に説明する。
【実施例１】
【００１８】
図１に代表的なモジュラプラグ本体の構造を説明するための斜視図を示した。ここで（ａ）はモジュラプラグ本体を表から見た斜視図、（ｂ）はモジュラプラグ本体を裏から見た斜視図である。
【００１９】
このモジュラプラグ本体１２はＬＡＮ接続において一般的に使用されるモジュラプラグ（ＲＪ４５コネクタ）であり、略直方体の筐体の一側面にはケーブル挿入口１４（幅×高さが７ｍｍ×５ｍｍ）が開口して形成されている。ケーブル挿入口１４は奥側に行くに従ってその高さが低くなっており、ケーブル挿入口１４の最深部にはＬＡＮケーブル１８を構成する８本の導線２２を対応させて接続するための導線挿入口が８口形成されている。導線挿入口３６をケーブル挿入口側から見た図２に示したように、隣接する導線挿入口は縦方向に互い違いとなるように横方向に８つ並んでいる。この導線挿入口３６の中側には、弾性に富んだ金属製の導線コンタクト１６の一端が伸長しており、導線挿入口から導線２２を挿入すると、導線コンタクトによって導線が押さえ込まれて接続され、一度挿入した導線は再び抜けないようになっている。
【００２０】
図３に斜視図で、図４に側面図および正面図で示した本実施例のコネクタ接続補助具１０は、その全長が２０ｃｍ程度で幅が７ｍｍの硬質樹脂の板棒状の部材を加工することで製作されている。
このコネクタ接続補助具１０は、指で摘んでこれを扱うため摘み部２４と、モジュラプラグ本体１２のケーブル挿入口１４に挿入可能な大きさで摘み部の先端に形成された導線サポート部２６とから構成されている。
【００２１】
摘み部２４は幅×厚み×長さが７ｍｍ×２ｍｍ×１９ｃｍ程度となっており、その上面にはケーブル１８を載せ置いてガイドするためのガイド溝３４が形成されている（実際には摘み部はその厚みが薄いために溝ではなく摘み部の断面形状が弓形となっている）。
【００２２】
導線サポート部２６は摘み部２４の先端を上方に向けるように湾曲させることで形成されており、その端部には同形の４つの小溝２８が４つ並んで形成されている。この小溝２８の形状は、浅い部分が広く、深い部分が狭くなるような略直角逆三角形をしており、その一斜辺は垂直方向に伸びている。より詳細には小溝２８は図５に拡大して示したように、その寸法が上側開口（底辺）が１．５ｍｍ、溝の深さは２ｍｍ程度の直角逆三角形状をしている。
またこの小溝２８の垂直に伸びる一斜辺には、薄く柔軟な板状のラバー３２が突出するようにして設けられている。このラバー３２は、小溝２８に載せ置いた導線２２を横方向から押えることで、その位置を安定させるためのものである。なおこのラバー３２は必須のものではなく、設けないでおくことも可能である。
【００２３】
以上に説明したコネクタ接続補助具１０は次のように使用される。
まず必要な長さに切断したＬＡＮケーブル１８の先端を１．５ｃｍ強皮剥きして内部の８本の導線２２を露出させ、そして各導線２２を覆っている皮膜を先端から１ｃｍ程度皮剥きする。
次に図６に拡大側面透視図で示したように、ケーブル１８を、その先端が導線サポート部２６にくるようにしてコネクタ接続補助具１０の摘み部２４に形成されたガイド溝３４に載せ置く。この状態で、８本の各導線２２の先端を導線サポート部２６の小溝２８に載せ置いて取り付ける（図５、図６（ａ）参照）。ここで各小溝２８には２本の導線２２が載せ置かれて取り付けられ、下側となる導線２２と上側となる導線２２とは積み重なるようにして配置される。ここで小溝２８はその一斜辺が傾斜しており、また、垂直に伸びる斜辺にラバー３２が取り付けられているため、下側となる導線２２は小溝２８の低部に、上側となる導線２２は小溝２８の上部でかつ傾斜する一斜辺側に押し寄せられ、すなわち上側となる導線２２は下側となる導線２２と垂直方向からずれた位置にくることとなる（図５参照）。
【００２４】
そしてガイド溝３４に載せ置いたケーブル１８ごとコネクタ接続補助具１０の摘み部２４を指で摘み、コネクタ接続補助具１０の導線サポート部２６をモジュラプラグ本体１２のケーブル挿入口１４に挿入してやる。ここでケーブル挿入口１４の横幅と導線サポート部２６の横幅とは同じ大きさとなっているため、ケーブル挿入口に挿入した導線サポート部はがたつくことなく位置決めされる（図６（ｂ）参照）。
【００２５】
導線サポート部２６をケーブル挿入口１４の奥側にまで挿入した後には、ガイド溝３４に載せ置いたケーブル１８を親指で押し出すようにしてガイド溝上を滑らせ、すなわち導線２２をコネクタ接続補助具１０によって支えながらケーブル挿入口の奥側に設けられた導線挿入口３６に差し込んでやる（図６（ｃ）参照）。なおケーブル挿入口１４は縦方向に互い違いとなるように横方向に８つ並んでいるが、導線サポート部２６の各小溝２８に載せ置かれた２本の導線２２も垂直方向からずれた位置で積み重なっているため、下側となる導線は下側の導線挿入口に、上側となる導線は上側の導線挿入口に差し込まれることとなる。導線挿入口３６に差し込まれた各導線２２は、導線挿入口内部の導線コンタクト１６によって導線が押さえ込まれると同時にこれに接続される。
最後にコネクタ接続補助具１０のみをケーブル挿入口１４から抜き去ることで、モジュラプラグ本体１２への各導線２２の接続が行われ成端作業が完了する（図６（ｄ）参照）。
【００２６】
以上に説明したように本実施例のコネクタ接続補助具によれば、ケーブルを構成する複数の導線を、対応する導線挿入口の手前まで導きこれを導線コンタクトに接続することができるため、ケーブルの成端を迅速かつ確実に行うことが可能となる。
なおコネクタ接続補助具へのケーブルや導線は、補助具に形成された溝に載せ置くだけであるため、その設置が容易であり、また導線コンタクトに導線を接続した後にはコネクタ接続補助具のみを容易に抜き取ることができるため、作業効率も向上させることができる。
【００２７】
なお本発明のコネクタ接続補助具の構造は上記実施例に限定されるものではなく、発明の趣旨を逸脱しない範囲で適宜変更することができるのは勿論である。またモジュラプラグはＬＡＮ用のものに限られず、種々のタイプのモジュラプラグに本発明のコネクタ接続補助具を利用することが可能である。
【図面の簡単な説明】
【００２８】
【図１】モジュラプラグ本体の構造を説明するための斜視図である。
【図２】導線挿入口をケーブル挿入口側から見た図である。
【図３】本実施例１のコネクタ接続補助具の斜視図である。
【図４】本実施例１のコネクタ接続補助具の側面図および正面図である。
【図５】導線を載せ置いた状態のコネクタ接続補助具の拡大正面図である。
【図６】コネクタ接続補助具の使用方法を説明するための側面透視図である。
【符号の説明】
【００２９】
１０  コネクタ接続補助具
１２  モジュラプラグ本体
１４  ケーブル挿入口
１６  導線コンタクト
１８  （ＬＡＮ）ケーブル
２２  導線
２４  摘み部
２６  導線サポート部
２８  小溝
３２  ラバー
３４  ガイド溝
３６  導線挿入口
【図１】
2008277053.tif 000003
【図２】
2008277053.tif 000004
【図３】
2008277053.tif 000005
【図４】
2008277053.tif 000006
【図５】
2008277053.tif 000007
【図６】
2008277053.tif 000008